(57)【要約】【課題】複数の半導体レーザ全てに近接してレーザドライバを配置出来ず、レーザドライバから離れて配置される半導体レーザへの駆動パルス信号の波形崩れや駆動パルス信号に起因する不要輻射が問題となる。【解決手段】レーザドライバを、第１及び第２半導体レーザ１１及び１２を駆動する各制御信号を発生する主回路２１と、各制御信号に応じて第１及び第２半導体レーザをそれぞれ駆動する第１及び第２最終駆動段２２ａ，２２ｂ及び２３ａを構成する第１及び第２従回路２２及び２３とに分散して構成し、主回路に記録媒体の種別に対応して動作させる従回路に選択的に制御信号を供給するべく選択回路３０を備え、かつ、第１従回路を主回路よりフレキシブル基板の第１半導体レーザとの接続領域近傍、あるいは接続領域上に設置し、第２従回路を主回路よりフレキシブル基板の第２半導体レーザとの接続領域近傍、あるいは接続領域上に設置する。【選択図】図６
2005259285.tif 000002
【特許請求の範囲】
【請求項１】
相違する第１及び第２の記録媒体にそれぞれ適合したレーザ光を発光する第１及び第２半導体レーザを備え、これらの第１及び第２半導体レーザをそれぞれ駆動するレーザドライバが前記第１及び第２半導体レーザに接続されるフレキシブル基板に設置される光学ヘッド装置であって、前記レーザドライバは第１及び第２半導体レーザに共用されて第１及び第２半導体レーザを駆動する制御信号を発生する主回路と、この主回路から供給される制御信号に応じて前記第１及び第２半導体レーザをそれぞれ駆動する第１及び第２最終駆動段を構成する第１及び第２従回路とに分散して構成し、前記主回路に記録媒体の種別に対応して動作させる従回路に選択的に制御信号を供給するべく選択回路を備え、かつ、前記主回路をフレキシブル基板の所定位置に設置し、前記第１従回路を主回路よりフレキシブル基板の第１半導体レーザとの接続領域近傍、あるいはこの接続領域上に設置すると共に、前記第２従回路を主回路よりフレキシブル基板の第２半導体レーザとの接続領域近傍、あるいはこの接続領域上に設置することを特徴とする光学ヘッド装置。
【請求項２】
前記レーザドライバの主回路に高周波重畳回路が備えられたことを特徴とする請求項１記載の光学ヘッド装置。
【請求項３】
前記レーザドライバの主回路に前記第１及び第２従回路に直流の電源電圧を供給するＤＣ−ＤＣコンバータを備え、該ＤＣ−ＤＣコンバータは記録媒体の種別に対応して各従回路に供給する電源電圧が記録媒体に適合する半導体レーザを構成するレーザダイオードのオン電圧を考慮して設定された値に切り替えられることを特徴とする請求項１記載の光学ヘッド装置。
【請求項４】
前記レーザドライバを単一の主回路と複数の従回路とにより構成すると共に、各従回路によりそれぞれ駆動されるレーザダイオードのオン電圧に対応してＮＰＮ型及びＰＮＰ型のトランジスタを、あるいはＮチャンネル型及びＰチャンネル型のＦＥＴを従回路ごとに使い分けて構成したことを特徴とする請求項３記載の光学ヘッド装置。
【発明の詳細な説明】
【技術分野】
【０００１】
本発明は、相違する第１及び第２の記録媒体にそれぞれ適合したレーザ光を発光する第１及び第２レーザダイオードを備え、これらの第１及び第２レーザダイオードをそれぞれ駆動するレーザドライバを前記第１及び第２レーザダイオードが組み込まれる光学ハウジングに設置する構成の光学ヘッド装置に関する。
【背景技術】
【０００２】
ディスク等の記録媒体にレーザ光を照射して光学的に信号読み取り、及びあるいは信号書き込みを行う光学ヘッド装置としては、相違する記録密度の記録媒体、例えばＤＶＤとＣＤの両方に対応させるように、各記録媒体の記録密度にそれぞれ適した波長のレーザ光を発光する相違する種類の複数のレーザダイオードを備えるものが存在する。
【０００３】
このように複数のレーザダイオードを備える光学ヘッド装置においては、それぞれ別に各レーザダイオードを駆動するレーザドライバを構成するレーザ駆動用半導体集積回路（レーザドライバ）を用いる場合と、各レーザダイオードをそれぞれ駆動するレーザドライバ機能を備えた単一のレーザドライバを用いる場合とがあり、現在後者の形態が一般的となっている。（特許文献１参照）
ところで、光学ヘッド装置は記録媒体の信号トラックを横切る方向に移動可能に支持されており、その光学ヘッド装置と該光学ヘッド装置が搭載される機器本体に設置される回路基板とはフレキシブル配線基板を用いて接続され、光学ヘッド装置に搭載される各種電気部品と前記回路基板とはこのフレキシブル配線基板を用いて電気信号の授受が行われる。
【０００４】
前記フレキシブル配線基板の光学ヘッド装置に添わせて光学ヘッド装置に取り付けられる領域には、光学ヘッド装置に組み入れられるレーザダイオード、記録媒体からの反射レーザ光を受光する光検出器やレーザダイオードの出射光量を監視するためのフロントモニタダイオード等が接続され、また、駆動パルス信号の劣化や不要輻射の影響を抑えるためにレーザドライバもレーザダイオードに近接して配置する必要があることから前記フレキシブル配線基板の光学ヘッド装置に取り付けられる領域に設置される場合が多いと共に、このフレキシブル配線基板に接続される。
【特許文献１】特開２００３−９９９６９号公報
【発明の開示】
【発明が解決しようとする課題】
【０００５】
光学ヘッド装置に搭載される各種電気部品の位置は光学ヘッド装置の外形、光学配置及び各種電気部品の接続関係を考慮して、あるいはフレキシブル配線基板を折り曲げることを考慮して設定され、また、光学ヘッド装置の外形に応じて大きさが制限されることからフレキシブル配線基板の各電気部品と接続する各接続部が四方八方に枝状に分岐して複雑な形状になってしまう。
【０００６】
ところで、ＤＶＤ及びＣＤの信号記録再生に対応する光学ヘッド装置の場合、一般にＤＶＤ及びＣＤのそれぞれに専用のレーザダイオードが設けられ、ＤＶＤ用レーザダイオードとＣＤ用レーザダイオードとは光学配置の関係から互いに光学ヘッド装置の離れた位置に配置されることが多い。
【０００７】
相違する波長のレーザ光を発光する２波長半導体レーザが存在するので、この２波長半
導体レーザを用いることが考えられるが、最近、青色レーザ光を用いて高密度化した信号記録及び信号再生を行うディスク規格が出てきており、このディスク規格に対応する光学ヘッド装置を提供する場合、ＤＶＤ及びＣＤとの互換性をとる必要がでてくるので、やはり複数の半導体レーザを必要とし、光学ヘッド装置の離れた位置に複数のレーザダイオードが配置されることになる。
【０００８】
その為、単一のレーザドライバにより複数のレーザダイオードを駆動するようにした場合、全てのレーザダイオードに近接してレーザドライバを配置することが困難であり、レーザドライバから離れて配置されるレーザダイオードへの駆動パルス信号の波形崩れや駆動パルス信号に起因する不要輻射が問題となる。
【０００９】
一方、複数のレーザダイオードをそれぞれ独立して駆動するべくそれぞれに対応するレーザドライバを用いて前記各レーザダイオードを駆動するようにした場合、フレキシブル配線基板上にレーザドライバを設置する領域を確保するのが困難である。
【００１０】
特許文献１には、各レーザダイオードごとに電流増幅する複数の増幅回路を最終段に有するレーザドライバを設け、選択的に前記最終段を動作させて所望のレーザダイオードを駆動するする構成の光学ヘッド装置が示されており、前記最終段をそれぞれ対応するレーザダイオードに近接して配置することにより駆動パルス信号の波形崩れが防止出来る。
【００１１】
しかしながら、特許文献１に示される光学ヘッド装置には前記レーザドライバを光学ヘッド装置に設置すると示されているのみでフレキシブル配線基板に設置する思想は一切なく、また、各レーザダイオードにそれぞれ対応する最終段を選択的に動作させるスイッチング回路を各レーザダイオードに近接して配置するようになっておらず、最終段からスイッチング回路を介して流れる電流レベルがレーザダイオードを駆動する駆動パルス信号の電流レベルとなるので、駆動パルス信号に起因する不要輻射の問題は解決されない。
【００１２】
また、ＣＤやＤＶＤに使用される赤外レーザ光や赤色レーザ光の各レーザダイオードは共にレーザダイオードにより構成されるが、種類によってレーザダイオードのオン電圧は相違する。その為、各レーザダイオードを駆動するのに共通のレーザドライバを使用する場合、オン電圧の高い方に合わせてレーザドライバの電源電圧を設定する必要があり、オン電圧の低い方のレーザダイオードに対応するＣＤ用のレーザダイオードを駆動する場合に無駄に消費される電力によりレーザドライバでの消費電力が大となってしまった。
【００１３】
レーザドライバでの消費電力の増大は発熱の問題に直結するので、何らかの対策を必要とし、特に、先述した青色レーザ光を用いて高密度化した信号記録及び信号再生を行うディスク規格に対応の青色レーザダイオードのオン電圧は、赤色レーザ光のレーザダイオードに比べて更に高くなっているので、青色レーザダイオードも赤外レーザ光や赤色レーザ光のレーザダイオードを駆動するレーザドライバと共用する場合、更にレーザドライバの電源電圧を高くする必要があり、赤外レーザ光や赤色レーザ光のレーザダイオードを駆動した際にレーザドライバで無駄に消費される電力が大きくなると共に、発熱がより深刻な問題となる。
【課題を解決するための手段】
【００１４】
本発明は、レーザドライバを、第１及び第２半導体レーザに共用されて第１及び第２半導体レーザを駆動する制御信号を発生する主回路と、この主回路から供給される制御信号に応じて前記第１及び第２半導体レーザをそれぞれ駆動する第１及び第２最終駆動段を構成する第１及び第２従回路とに分散して構成し、前記主回路に記録媒体の種別に対応して動作させる従回路に選択的に制御信号を供給するべく選択回路を備え、かつ、前記主回路をフレキシブル基板の所定位置に設置し、前記第１従回路を主回路よりフレキシブル基板
の第１半導体レーザとの接続領域近傍、あるいはこの接続領域上に設置すると共に、前記第２従回路を主回路よりフレキシブル基板の第２半導体レーザとの接続領域近傍、あるいはこの接続領域上に設置するようにしている。これによりフレキシブル基板上に主回路を第１及び第２半導体レーザから離した位置に配置可能としながら、第１及び第２従回路を選択的に動作させる制御信号をフレキシブル基板の主回路と第１及び第２従回路との間に流すようにしている。
【発明の効果】
【００１５】
本発明に係る光学ヘッド装置は、レーザドライバを主回路と第１及び第２従回路とに分散して構成し、フレキシブル基板上に主回路を第１及び第２半導体レーザから離した位置に配置可能としながら、第１及び第２従回路を選択的に動作させる制御信号をフレキシブル基板の主回路と第１及び第２従回路との間に流すようにしているので、半導体レーザに供給される駆動パルス信号の遅延及び波形崩れが防止出来ると共に、主回路から第１及び第２従回路に流れる信号レベルが微弱になることにより前記駆動パルス信号に起因する不要輻射を軽減することが出来る。
【００１６】
また、前記レーザドライバの主回路に高周波重畳回路を備えているので、高周波重畳回路の発振を制御する高速で微弱な制御信号を第１及び第２従回路に供給する必要が無く、この制御信号の遅延及び波形崩れにより高周波重畳回路が制御不可となる問題が発生しない。
【００１７】
また、主回路に備えるＤＣ−ＤＣコンバータにより各従回路に供給する電源電圧が記録媒体の種別に適合するレーザダイオードのオン電圧に対応して切り替えられるので、駆動されるレーザダイオードごとに最適な電源電圧を各従回路に印加することが出来、各従回路により無駄に電力消費されることが防止され、発熱の点でも有利となる。
【００１８】
更に、ＤＣ−ＤＣコンバータにより各従回路に供給する電源電圧が各従回路に備えるレーザダイオードのオン電圧に対応して切り替えられるので、ＮＰＮ型及びＰＮＰ型のトランジスタを、あるいはＮチャンネル型及びＰチャンネル型のＦＥＴ（Field Effect Transistor）を使い分けて各従回路を構成することが出来、使用するレーザダイオードに合わせて有利な特性となる型のトランジスタ、あるいはＦＥＴにより各従回路を構成することが出来る。
【実施例】
【００１９】
図１は本発明に係る光学ヘッド装置の配線装置の一実施例を示す展開斜視図、図２は図１に示す光学ヘッド装置の配線装置を光ディスク装置に適用した一例を示す斜視図である。
【００２０】
光学ヘッド装置１は、ＣＤ、ＤＶＤ及び高密度ＤＶＤ（俗称ＨＤ−ＤＶＤ）の各ディスクの信号記録再生に対応しており、ターンテーブル２に載置されるディスク（図示せず）の信号トラックを横切る方向にスクリューシャフト３及びガイドシャフト４により移動可能に支持されている。
【００２１】
光学ヘッド装置１には上面からフレキシブル配線基板５が光学ヘッド装置１の移動方向に引き出され、フレキシブル配線基板５は光学ヘッド装置１を厚み方向で挟むように折り返され、フレキシブル配線基板５の電気的な接点となる接栓部６は機器本体に設置される回路基板７に接続され、この回路基板７と光学ヘッド装置１とを結ぶ伝送路を形成している。
【００２２】
フレキシブル配線基板５は、ポリイミド等の樹脂フィルムから成るベースフィルムに銅
箔の導電パターンが形成され、この導電パターンのハンダ付け可能なランド領域を除いてポリイミド等の樹脂フィルムから成るカバーフィルムを被覆して構成される。
【００２３】
前記フレキシブル配線基板５には光学ヘッド装置１の光学ハウジング１０に組み込まれたり、搭載される各種電気部品が接続、あるいは設置され、これらの電気部品としては、ＤＶＤ及びＣＤの各ディスクにそれぞれ適合する赤色波長及び赤外波長のレーザ光をそれぞれ発光する２つのレーザダイオード１１ａ及び１１ｂを同一筐体に備える２波長半導体レーザ１１、高密度ＤＶＤに適合する青色波長のレーザ光を発光するレーザダイオード１２ａを備える青色半導体レーザ１２、各ディスクにより反射されたレーザー光を受光する光検出器１３、前記２波長半導体レーザ１１の各レーザダイオード１１ａ、１１ｂ及び青色半導体レーザ１２のレーザダイオード１２ａをそれぞれ駆動するレーザ駆動用半導体集積回路（レーザドライバ）の主回路１４（図４参照）と第１従回路１５及び第２従回路１６（図４参照）、及び各レーザダイオードの出射光量を所定強度に保持するために各レーザダイオードから出射されるレーザ光を受光するフロントモニタダイオード１７がある。
【００２４】
２波長半導体レーザ１１及び青色半導体レーザ１２は、図３に示す如く、フレキシブル配線基板５に設置される別体のサブ基板１８に接続され、このサブ基板１８を介在して間接的にフレキシブル配線基板５に設置されるようになっている。この場合、前記サブ基板１８の各端部が２波長半導体レーザ１１及び青色半導体レーザ１２がそれぞれ接続される各レーザ接続領域１８ａ，１８ｂになっており、前記サブ基板１８の前記各レーザ接続領域１８ａ，１８ｂの中間がフレキシブル配線基板５と接続する中継領域１８ｃとなっている。
【００２５】
この場合、第１従回路１５をフレキシブル基板５の２波長半導体レーザ１１との接続領域近傍に一部この接続領域上に重なって設置すると共に、第２従回路１６をフレキシブル基板５の青色半導体レーザ１２との接続領域近傍に一部この接続領域上に重なって設置する構成になっているが、前記第１従回路１５をフレキシブル基板５の２波長半導体レーザ１１との接続領域上に重ねずにこの接続領域近傍に、あるいは従回路の大きさによっては前記接続領域上のみに設置すると共に、前記第２従回路１６をフレキシブル基板５の青色半導体レーザ１２との接続領域上に重ねずにこの接続領域近傍に、あるいは従回路の大きさによっては前記接続領域上のみに設置しても良い。
【００２６】
また、フレキシブル配線基板５には、レーザドライバの主回路１４が取り付けられる第２のサブ基板１９がフレキシブル配線基板５の所定位置に重ねて配置されてハンダ付けにより固定されるようになっており、この第２のサブ基板１９はオモテ面にレーザドライバの主回路１４が設置され、裏面にフレキシブル配線基板５に接続する各接続ランド、及び前記主回路１４を横切る配線パターンが形成される両面基板により構成されている。
【００２７】
このように構成されるサブ基板１８を含むフレキシブル配線基板５は、図３に示すとおりの外形形状であり、実線部分が山折りされ、破線部分が谷折りされて光学ヘッド装置１の外形に応じて折り曲げられ、各種電気部品が接続、あるいは設置される部位が光学ハウジング１０の外形に添って光学ヘッド装置１の所定位置に設置される。
【００２８】
２波長半導体レーザ１１及び青色半導体レーザ１２は、光学ヘッド装置１の裏面のそれぞれ相違する方向を示す図４（イ）及び図４（ロ）の如く、光学ハウジング１０の相違する側辺にそれぞれ組み込まれており、サブ基板１８は２波長半導体レーザ１１の各端子及び青色半導体レーザ１２の各端子にそれぞれ接続される。
【００２９】
また、このようにして光検出器１３やフロントモニタダイオード１７は光学ヘッド装置１の所定位置に設置され、レーザドライバの主回路１４は図５に示す光学ヘッド装置１の
所定部位の裏面を示す部分斜視図の如く、光学ヘッド装置１の裏面の所定の角に設置される。
【００３０】
ところで、２波長半導体レーザ１１の各レーザダイオード１１ａ、１１ｂはレーザドライバの主回路１４と第１従回路１５により駆動されるようになっており、青色半導体レーザ１２のレーザダイオード１２ａはレーザドライバの主回路１４と第２従回路１６により駆動されるようになっている。
【００３１】
図６は、２波長半導体レーザ１１の各レーザダイオード１１ａ、１１ｂ及び青色半導体レーザ１２のレーザダイオード１２ａを駆動するレーザドライバの構成の一例を示すブロック構成図である。
【００３２】
レーザドライバは主回路２１（部品の主回路１４に相当）と第１従回路２２及び第２従回路２３（それぞれ部品の第１従回路１５及び第２従回路１６に相当）とに分離されて構成され、第１従回路２２により２波長半導体レーザ１１の各レーザダイオード１１ａ、１１ｂを駆動する駆動電流を供給し、第２従回路２３により青色半導体レーザ１２のレーザダイオード１２ａを駆動する駆動電流を供給する。
【００３３】
前記主回路２１は、２波長半導体レーザ１１の各レーザダイオード１１ａ、１１ｂ、あるいは青色半導体レーザ１２のレーザダイオード１２ａを駆動する駆動パルス波形を構成する各種信号（ＲＷ（ReWritable）記録時にはピークパワー信号、イレーズパワー信号及びボトムパワー信号、Ｒ（Recordable）記録時にはライトパワー信号及びリードパワー信号、再生時にはリードパワー信号）を生成する信号生成回路２４からの各種信号が入力される信号入力回路２５と、該信号入力回路２５に入力される各種信号の信号電流レベルを設定する信号レベル設定回路２６と、記録時において信号入力回路２５に入力される各種信号を合成してエンコーダ／デコーダ２７によりエンコード処理された記録データに基づき、ＲＷ及びＲの各記録に対応して生成される記録波形パルスに対応する記録用レーザ制御信号を生成すると共に、各ディスクを再生する再生用レーザ制御信号を生成するレーザ制御信号生成回路２８と、該レーザ制御信号生成回路２８により生成されるレーザ制御信号に高周波信号を重畳する高周波重畳回路２９と、入力されるレーザ制御信号を選択的に第１従回路２２の第１最終駆動段２２ａ、第２最終駆動段２２ｂ及び第２従回路２３の最終駆動段２３ａに供給する選択回路３０と、主回路２１に印加される電源電圧を変換して前記第１従回路２２の第１最終駆動段２２ａ、第２最終駆動段２２ｂ及び第２従回路２３の最終駆動段２３ａに選択的に供給する直流の電源電圧を発生するＤＣ−ＤＣコンバータ３１とを備えている。
【００３４】
このように構成されるレーザドライバにおいて、ディスク判別回路３２によりターンテーブル（図示せず）に装着されたディスクがＣＤであると判断されると、選択回路３０は第１従回路２２の第１最終駆動段２２ａを、ディスクがＤＶＤであると判断されると、選択回路３０は第１従回路２２の第２最終駆動段２２ｂを、ディスクが高密度ＤＶＤであると判断されると、選択回路３０は第２従回路２３の最終駆動段２３ａをそれぞれ選択する状態に切り替えられる。
【００３５】
また、ディスク判別回路３２によるディスク判別、記録状態か再生状態かの動作状態、及び設定記録再生速度によって信号生成回路２４により発生される信号、信号レベル設定回路２６による各種信号の信号電流レベルの設定、高周波重畳回路２９の発振周波数がディスク種別、動作状態及び記録再生の設定速度に応じて切り替えられる。その為、信号生成回路２４により発生される信号、信号レベル設定回路２６による各種信号の信号電流レベルの設定、高周波重畳回路２９の発振周波数は、ディスク種別、動作状態及び設定速度に適切に設定され、選択回路３０にはレーザ制御信号生成回路２８により生成される適切
な電流レベルのレーザ制御信号に選択的に高周波重畳回路２９により発生される適切な発振周波数の高周波信号が重畳されて入力される。
【００３６】
したがって、選択回路３０により選択された第１従回路２２の第１最終駆動段２２ａ、第２最終駆動段２２ｂ、あるいは第２従回路２３の最終駆動段２３ａは高周波信号が重畳されたレーザ制御信号生成回路２８からのレーザ制御信号に対応して駆動されることになる。
【００３７】
ＣＤの記録再生の場合、主回路２１の出力端子３３ａから動作状態及び設定速度に適合する形態のレーザ制御信号が出力され、このレーザ制御信号により第１従回路２２の第１最終駆動段２２ａが制御される。その為、前記レーザ制御信号に応じて２波長半導体レーザ１１のＣＤ用レーザダイオード１１ａに駆動電流が供給され、この駆動電流に応じた強度で前記レーザダイオード１１ａが発光される。
【００３８】
また、ＤＶＤの記録再生の場合、主回路２１の出力端子３３ｂから動作状態及び設定速度に適合する形態のレーザ制御信号が出力され、このレーザ制御信号により第１従回路２２の第２最終駆動段２２ｂが制御される。その為、前記レーザ制御信号に応じて２波長半導体レーザ１１のＤＶＤ用レーザダイオード１１ｂに駆動電流が供給され、この駆動電流に応じた強度で前記レーザダイオード１１ｂが発光される。
【００３９】
更に、高密度ＤＶＤの記録再生の場合、主回路２１の出力端子３３ｃから動作状態及び設定速度に適合する形態のレーザ制御信号が出力され、このレーザ制御信号により第２従回路２３の最終駆動段２３ａが制御される。その為、前記波形パルスに応じて青色半導体レーザ１２のレーザダイオード１２ａに駆動電流が供給され、この駆動電流に応じた強度で前記レーザダイオード１２ａが発光される。
【００４０】
ところで、ＤＣ−ＤＣコンバータ３１は発生する直流の電源電圧がディスク判別回路３２によるディスク判別により切り替えられる。
【００４１】
レーザダイオードのオン電圧は発光する周波数及び光強度によって変化し、ＣＤ用レーザダイオード１１ａ（例えば２Ｖ）、ＤＶＤ用レーザダイオード１１ｂ（例えば３Ｖ）、高密度ＤＶＤ用レーザダイオード１２ａ（例えば５Ｖ）の順に高くなっている。その為、最もオン電圧が高い高密度ＤＶＤ用レーザダイオード１２ａに合わせてＣＤ用レーザダイオード１１ａ及びＤＶＤ用レーザダイオード１１ｂに駆動電流を供給する第１従回路２２の第１最終駆動段２２ａ及び第２最終駆動段２２ｂの電源電圧を設定した場合には、前記第１最終駆動段２２ａ及び第２最終駆動段２２ｂにより電力が損失されることになるが、本実施例においてはディスク判別回路３２によりディスク種別がＣＤと判別された際にＤＣ−ＤＣコンバータ３１は、第１従回路２２の第１最終駆動段２２ａの動作電圧を考慮してＣＤ用レーザダイオード１１ａのオン電圧２Ｖより１．５Ｖ高い直流の電源電圧３．５Ｖを発生し、ディスク種別がＤＶＤと判別された際にＤＣ−ＤＣコンバータ３１は、第１従回路２２の第２最終駆動段２２ｂの動作電圧を考慮してＤＶＤ用レーザダイオード１１ｂのオン電圧３Ｖより１．５Ｖ高い直流の電源電圧４．５Ｖを発生し、ディスク種別が高密度ＤＶＤと判別された際にＤＣ−ＤＣコンバータ３１は、第２従回路２３の最終駆動段２３ａの動作電圧を考慮して高密度ＤＶＤ用レーザダイオード１２ａのオン電圧５Ｖより２Ｖ高い直流の電源電圧７Ｖを発生する。
【００４２】
したがって、第１従回路２２の第１最終駆動段２２ａ及び第２最終駆動段２２ｂにより無駄に電力消費されることがない。
【００４３】
また、第１従回路２２の第１最終駆動段２２ａ及び第２最終駆動段２２ｂはＰＮＰ型ト
ランジスタにより構成し、ＣＤ用レーザダイオード１１ａ及びＤＶＤ用レーザダイオード１１ｂの各カソードを接地するようにしているが、第２従回路２３の最終駆動段２３ａはＮＰＮ型トランジスタにより構成し、高密度ＤＶＤ用レーザダイオード１２ａをフローティングさせることになるが、高密度ＤＶＤ用レーザダイオード１２ａの場合、他のレーザダイオード１１ａ、１１ｂよりオン電圧が高いと共に、容量成分が多いことによる悪影響を抑制するのに適した駆動が行えるようになっている。
【００４４】
尚、ＣＭＯＳレベルの場合、第１従回路２２の第１最終駆動段２２ａ及び第２最終駆動段２２ｂをＰチャンネル型のＦＥＴにより構成し、第２従回路２３の最終駆動段２３ａをＮチャンネル型のＦＥＴにより構成すれば良い。
【図面の簡単な説明】
【００４５】
【図１】本発明に係る光学ヘッド装置の配線装置の一実施例を示す展開斜視図である。
【図２】図１に示す光学ヘッド装置の配線装置を光ディスク装置に適用した一例を示す斜視図である。
【図３】フレキシブル配線基板５の外形を示すと共に、折り曲げ方を説明する平面図である。
【図４】２波長半導体レーザ１１及び青色半導体レーザ１２にサブ基板１８が接続されたフレキシブル配線基板５を接続した状態を説明する光学ヘッド装置１の裏面からの斜視図である。
【図５】レーザドライバの主回路１４が設置される状態を説明する光学ヘッド装置１の裏面の所定部位を示す部分斜視図である。
【図６】２波長半導体レーザ１１の各レーザダイオード１１ａ、１１ｂ及び青色半導体レーザ１２のレーザダイオード１２ａを駆動するレーザドライバの構成の一例を示すブロック構成図である。
【符号の説明】
【００４６】
１        光学ヘッド装置
５        フレキシブル配線基板
１０        光学ハウジング
１１        ２波長半導体レーザ
１１ａ，１１ｂ        レーザダイオード
１２        青色半導体レーザ
１２ａ        レーザダイオード
１４，２１        主回路
１５，２２        第１従回路
１６，２３        第２従回路
１８        サブ基板
２５        信号入力回路
２６        信号レベル設定回路
２７        エンコーダ／デコーダ
２８        レーザ制御信号生成回路
２９        高周波重畳回路
３０        選択回路
３１        ＤＣ−ＤＣコンバータ
３２        ディスク判別回路
【図１】
2005259285.tif 000003
【図２】
2005259285.tif 000004
【図３】
2005259285.tif 000005
【図４】
2005259285.tif 000006
【図５】
2005259285.tif 000007
【図６】
2005259285.tif 000008